(57)【要約】      （修正有）【課題】テナントビル、ホテル、学校、病院などの施設において、設備情報や使用エネルギー量を収集し蓄積したデータを即座にグラフ表示するグラフ表示装置を提供する。【解決手段】収集され蓄積されたデータをあらかじめ定義されたグラフ属性に応じてグラフデータを生成し、オペレータの要求により生成されたグラフの画面表示を行なうグラフ表示装置において、オペレータが入力した文字または数字と一致する属性を少なくとも一つ備えるグラフを検索するグラフ検索手段と、グラフ検索手段により検索されたグラフ一覧を表示するグラフ一覧表示手段と、グラフ一覧表示手段により表示された一覧のなかから、所望のグラフが選択されると所定のフォーマットに従い、グラフ表示するグラフ表示手段とを備えた。【選択図】図１
2013232076.tif 000002
【特許請求の範囲】
【請求項１】
収集され蓄積されたデータをあらかじめ定義されたグラフ属性に応じてグラフデータを生成し、オペレータの要求により生成されたグラフの画面表示を行なうグラフ表示装置において、
オペレータが入力した文字または数字と一致する属性を少なくとも一つ備えるグラフを検索するグラフ検索手段と、前記グラフ検索手段により検索されたグラフ一覧を表示するグラフ一覧表示手段と、前記グラフ一覧表示手段により表示された一覧のなかから、所望のグラフが選択されると所定のフォーマットに従い、グラフ表示するグラフ表示手段とを備えたことを特徴とするグラフ表示装置。
【請求項２】
前記グラフ検索手段は、
複数の入力可能な属性項目が定義されており、入力した文字または数字は部分一致で検索し、かつ前記属性項目の間はＡＮＤ条件で検索することを特徴とするグラフ表示装置。
【請求項３】
収集され蓄積されたデータをあらかじめ定義されたグラフ属性に応じてグラフデータを生成し、オペレータの要求により生成されたグラフを画面表示するグラフ表示方法において、
文字または数字を入力する条件入力工程と、この入力工程で入力された条件と一致する属性を備えるグラフを検索するグラフ検索工程と、前記グラフ検索工程で検索したグラフを一覧表示するグラフ一覧表示工程と、前記グラフ一覧工程で表示された一覧のなかから所望のグラフを選択すると、所定のフォーマットに従い、グラフ表示するグラフ表示工程とを備えたことを特徴とするグラフ表示方法。
【発明の詳細な説明】
【技術分野】
【０００１】
この発明は、テナントビル、ホテル、学校、病院などの施設において、設備情報や使用エネルギー量を収集し蓄積したデータをグラフ表示するグラフ表示装置に関するものである。
【背景技術】
【０００２】
従来、オペレータによる設備情報の履歴データの解析を行なうために、収集され蓄積されている各種機器の稼動状態（ポンプのＯＮ／ＯＦＦ状況、空調機のＯＮ／ＯＦＦ状況など）、その機器による環境の状態（温湿度、冷水送水温度、風量、送水圧など）、機器ごとに使用するエネルギー使用量など各種の管理ポイントが定義され、この管理ポイントのデータを定期的に収集し、蓄積している。この蓄積されたデータは、オペレータからの要求に応じ、トレンドデータやヒストグラムなどの履歴表示のグラフとして画面上に表示される。これらのグラフはエネルギー使用量の分析、温熱環境評価、空調制御解析などに用いられ、管理ポイントが多くなればなるほど様々な用途で用いられる多くのグラフが用意されている。
【０００３】
このため、現在開かれているウインドウのグラフを1画面にマトリクス状に表示し、マトリクス状に表示されているグラフを指定し位置を変更する。また、画面上から設定される複合条件を記憶しておき、複合条件が成立したグラフを表示するなどしている。（たとえば、特許文献１参照）
【先行技術文献】
【特許文献】
【０００４】
【特許文献１】特開２００２−２５８９３９号公報
【発明の概要】
【発明が解決しようとする課題】
【０００５】
しかしながら、このような複合条件は、日付を記憶し複合条件のデータおよびグラフの少なくとも一方を表示するようにしたものであり、所望のグラフを表示するまでに、さらに条件を絞り込む必要がある。このため、労力と手間がかかってしまい、見たいときにすぐに見ることができないなど効率が悪いため、オペレータの要求を即座に満足することができなかった。
【０００６】
この発明は、これらの課題を解決するためになされたもので、その目的とするところは、オペレータのグラフ読み出し要求に対し、即座に応えることができるようにしたグラフ表示装置を提供する。
【課題を解決するための手段】
【０００７】
このような目的を達成するために、本発明に係るグラフ表示装置は、収集され蓄積されたデータをあらかじめ定義されたグラフ属性に応じてグラフデータを生成し、オペレータの要求により生成されたグラフの画面表示を行なうグラフ表示装置において、オペレータが入力した文字または数字と一致する属性を少なくとも一つ備えるグラフを検索するグラフ検索手段と、前記グラフ検索手段により検索されたグラフ一覧を表示するグラフ一覧表示手段と、前記グラフ一覧表示手段により表示された一覧の中から、所望のグラフが選択されると所定のフォーマットに従い、グラフ表示するグラフ表示手段とを備えたことを特徴とする。
【０００８】
また、本発明に係るグラフ表示装置は、複数の入力可能な属性項目が定義されており、入力した文字または数字は部分一致で検索し、かつ前記属性項目の間はＡＮＤ条件で検索することを特徴とする。
【発明の効果】
【０００９】
この発明によれば、表示したいグラフを用意されたフォーマットに従い、条件を入力することで数多くのグラフを検索でき、目的のグラフや確認したい管理ポイントを効率よく、迅速に表示することができる。
【００１０】
また、入力された文字または数字が部分一致するもの、また入力項目の間をＡＮＤ条件としたので、表示頻度の多いグラフを表示する際に、条件入力を簡素化でき、オペレータの負担を軽減することができる。
【００１１】
また、一覧画面より目的のグラフを選択できるようにしたため、見たいグラフを簡単に即座に表示することができる。
【図面の簡単な説明】
【００１２】
【図１】実施の形態に係るグラフ表示装置のブロック図である。
【図２（ａ）】選択メニューの一例である
【図２（ｂ）】グラフ検索条件を入力するためのダイアログ例である
【図３】入力された条件に合致するグラフ一覧の表示画面例である
【図４】選択されたグラフ表示の一例である
【図５】実施の形態に係るグラフ表示方法の処理フローである
【発明を実施するための形態】
【００１３】
以下、本発明の実施の形態を図面に基づいて説明する。尚、異なる実施の形態において、同一又は同様の作用効果を奏する箇所については、同一の符号を付してその説明を省略する。
【００１４】
〔実施の形態１〕
図１はこの発明に係るグラフ表示装置１の概略構成を示すブロック図である。グラフ表示装置１は、ＣＰＵ、ＲＡＭ、ＲＯＭ、インタフェース、ディスプレイ、キーボード、マウス等を備えたコンピュータであり、ＣＰＵは、ＲＡＭにアクセスしながら、ＲＯＭに格納されたプログラムにしたがって動作する。
【００１５】
テナントビルには、各種の設備（図示しない）が設けられている。グラフ表示装置は、テナントビル内の各種管理ポイントからの情報（ポンプのＯＮ／ＯＦＦ状況、空調機のＯＮ／ＯＦＦ状況、温湿度、冷水送水温度、風量、送水圧など）や各種設備のエネルギー消費量などを通信回線を介して定期的に収集し、収集したデータは、データ保存部２に収集した時刻とともに蓄積していく。当該グラフは、収集し蓄積する管理ポイント名、その管理ポイントが含まれる設備名称、また設備管理に関する区分、および統括されたグループ名称などを、グラフ属性として備えるものである。
【００１６】
管理ポイントは、アドレス、計測ポイント名称、単位等が定義されており、グラフを作成するうえで表示したい管理ポイントが定義されている。また、グラフ種類（たとえば、時系列グラフ、分布系グラフ）、表示範囲、グラフ表示開始時刻などが定義されており、これらの項目にしたがいプログラムが動作して、グラフデータを生成し、グラフ生成部３に表示データそのもの、または蓄積された履歴データへのリンク情報が格納されている。
【００１７】
オペレータによりメニュー上の「グラフ検索」が選択され、所望の条件が入力されると、グラフ生成部３に格納されているグラフのなかから、入力された条件と一致するグラフを検索するグラフ検索手段１−１と、グラフ検索手段１−１で検索された結果を一覧表示するグラフ一覧表示手段１−２と、グラフ一覧で選択されたグラフを表示するグラフ表示手段１−３とから構成される。
【００１８】
図２（ａ）は、ディスプレイ上に表示されるメニューＭの一例である。ここでは、「エントランス」、「エネルギー管理」、「稼動実績管理」などが設けられている。所望のメニュー、たとえば、「エネルギー管理」をマウスクリックすると、プルダウンメニューＭ１が表示され、「グラフ検索」を選択すると、図２（ｂ）に例示するグラフ検索のための入力可能な属性項目が表示されたダイアログが現れる。
【００１９】
このダイアログは、グラフ生成部３で生成され用意された多くのグラフのなかからオペレータが手早く表示できるように所望の属性項目を入力するためのものである。
【００２０】
グラフ検索画面には、少なくとも２つ以上の入力可能な属性項目Ｋが用意されており、たとえば「区分」Ｋ−１、「グループ」Ｋ−２、「グラフ」Ｋ−３、「ポイント名称」Ｋ−４など、オペレータが入力できる項目が用意されている。たとえば、表示したいグラフ属性にかかる文字または数字（以下「キャラクタ」）を入力し、「検索」ボタンＳＢをクリックすると、この入力したキャラクタが一致するグラフ検索を行なう。
【００２１】
入力したキャラクタは、記録しておくものとし、メニューＭから「グラフ検索」選択するごとに、前回入力したキャラクタの記録が表示されるものとしてもよい。
【００２２】
この例では、「グラフ」Ｋ−３の項目にキャラクタ「電力」と入力し、検索ボタンＳＢをマウスクリックしてグラフ検索を行なう。検索した結果、図３に示すように、グラフの名称に「電力」の文字を含むものがグラフ一覧として表示される。
【００２３】
検索結果のグラフ一覧は、検索画面の入力項目と同じ、「区分」Ｋ−１、「グループ」Ｋ−２、「グラフ」Ｋ−３、「ポイント名称」Ｋ−４と、ポイント名称に紐付く「ポイントアドレス」Ｋ−４−１−が表示され、それぞれグラフＧに画面展開情報がリンクされている。
【００２４】
グラフの検索は、入力項目Ｋ−１〜Ｋ−４にそれぞれ入力したキャラクタが部分一致するグラフをすべて抽出する。なお、入力項目Ｋ−１〜Ｋ−４の間は、ＡＮＤ条件で検索し、入力項目すべてに入力する必要はなく、必要のない入力項目は入力せずスペースとしておけばよい。これにより、オペレータが入力したキャラクタと一致する属性を少なくとも一つを備えるグラフを検索することができる。
【００２５】
グラフ一覧画面において、リンクされている「グラフ」Ｇをマウスクリックすると、該当するグラフが表示される。表示するグラフは、所定のフォーマットであらかじめ定義されており、時系列グラフ（トレンドグラフ、バーグラフ、積層グラフなど）、分析グラフ（円グラフ、ヒストグラム、散布図など）により表示される。
【００２６】
図４は、選択されたグラフの画面表示の一例である。ここでは、外気温湿度の変化を確認するため、期間１および期間２の外気温湿度変化をトレンドグラフで表現したものである。
【００２７】
図５は、本発明のグラフ表示方法の処理フローを示したものである。オペレータが、画面に表示されたメニューから「グラフ検索」を選択すると（ＳＴ１のＹｅｓ）、グラフ検索のための属性項目入力ダイアログが表示される（ＳＴ２）。表示されたダイアログの入力可能な属性項目に所望の数字または文字が入力され、「検索」ボタンがクリックされると（ＳＴ３のＹｅｓ）、属性項目に入力された条件と一致するグラフをグラフ生成部に記録されたグラフのなかから抽出し（ＳＴ４）、検索結果をグラフ一覧表示する（ＳＴ５）。
【００２８】
検索結果のグラフ一覧画面で所望のグラフが選択されると（ＳＴ６のＹｅｓ）、グラフ生成部よりグラフデータを読み出し、画面上にグラフ表示する（ＳＴ７）。
【００２９】
本発明の実施形態を図面を参照して詳述してきたが、具体的な構成は、上述した実施の形態の構成に限られるものではなく、本発明の趣旨を逸脱しない範囲の設計の変更などがあっても本発明に含まれることは言うまでもない。
【符号の説明】
【００３０】
１：データ表示装置、１−１：グラフ検索手段、１−２：グラフ一覧表示手段、１−３：グラフ表示手段
２：データ保存部
３：グラフ生成部
Ｍ：メニュー、Ｍ１：プルダウンメニュー
Ｋ：入力項目
ＳＢ：検索ボタン
【図１】
2013232076.tif 000003
【図２（ａ）】
2013232076.tif 000004
【図２（ｂ）】
2013232076.tif 000005
【図３】
2013232076.tif 000006
【図４】
2013232076.tif 000007
【図５】
2013232076.tif 000008